(57)【要約】【課題】棚板を水平に保つための手段及び棚板の抜け止めのための手段を予め設けた棚受装置を提供することを目的とする。【解決手段】壁面に直接或いは壁面に敷設されたレールに取り付けるための取付部と、棚板を載置するための棚受部とから成る棚受装置であって、取付部の垂直片には棚受部の水平片と平行な縁取り片を形成して水平片と縁取り片との間で棚板の端部を挟持させるように構成すると共に、水平片には載置された棚板を下方から押し上げる調整ネジを螺合させる螺子孔を形成したことを特徴とする。【選択図】        図１
2005318903.tif 000002
【特許請求の範囲】
【請求項１】
壁面Ｗに直接或いは壁面に敷設されたレールＲに取り付けるための取付部２と、棚板Ｔを載置するための棚受部３とから成る棚受装置１であって、取付部２の垂直片２１には棚受部３の水平片３１と平行な縁取り片２２を形成して水平片３１と縁取り片２２との間で棚板Ｔの端部を挟持させるように構成すると共に、水平片３１には載置された棚板Ｔを下方から押し上げる調整ネジ４を螺合させる螺子孔３ａを形成したことを特徴とする棚受装置。
【請求項２】
請求項１記載の棚受装置１において、上記縁取り片２２と水平片３１の間の垂直片２１に棚板Ｔの側端部に喰い込んで棚板の抜け止めの作用をする楔状の舌片２３を形成したことを特徴とする請求項１記載の棚受装置。
【請求項３】
請求項１記載の棚受装置１において、上記水平片３１に棚板Ｔの下面に喰い込んで棚板の抜け止めの作用をする木ネジＭを挿通するための孔３ｂを形成したことを特徴とする請求項１記載の棚受装置。
【請求項４】
請求項１記載の棚受装置において、上記縁取り片２２に棚板Ｔの上面に喰い込んで棚板の抜け止めの作用をする木ネジＭを挿通するための孔を形成したことを特徴とする請求項１記載の棚受装置。
【発明の詳細な説明】
【０００１】
【発明の属する技術分野】
本発明は、壁面に直接或いは壁面に敷設されたレールに取り付けて使用する棚受装置に関するものである。
【０００２】
【従来の技術】
従来から壁面に直接或いは壁面に敷設されたレールに取り付けて棚板の一端を支持するようにした棚受装置は公知であるが、この棚受装置にあっては、棚板の一端だけを支持するものであったため、棚板上に物品を載置したときに荷重によって傾いて棚板が水平状態に保持されず棚板上の物品が転げ落ちたりする事故が起きたり、棚板上の物品を降ろすときに物品をそのまま横に引っ張って棚板が抜けて脱落する事故が起きるという問題点があった。
【０００３】
【発明が解決しようとする課題】
そのため、従来のこの種の棚受装置にあっては、棚板を水平に保つための手段として棚受の水平片と棚板の間に楔などを挟んだりしていたが、棚受装置を設置した後の作業が面倒であるだけでなく、体裁が悪いという問題点があった。
【０００４】
【発明の目的】
本発明は、上記従来技術の問題点を解決するために、棚板を水平に保つための手段及び棚板の抜け止めのための手段を予め設けた棚受装置を提供することを目的とするものである。
【０００５】
【課題を解決するための手段】
本発明に係る棚受装置の請求項１の発明は、壁面に直接或いは壁面に敷設されたレールに取り付けるための取付部と、棚板を載置するための棚受部とから成る棚受装置であって、取付部の垂直片には棚受部の水平片と平行な縁取り片を形成して水平片と縁取り片との間で棚板の端部を挟持させるように構成すると共に、水平片には載置された棚板を下方から押し上げる調整ネジを螺合させる螺子孔を形成したことを特徴とし、請求項２の発明は、請求項１記載の棚受装置において、上記縁取り片と水平片の間の垂直片に棚板の側端部に喰い込んで棚板の抜け止めの作用をする楔状の舌片を形成したことを特徴とし、請求項３、４の発明は、請求項１記載の棚受装置において、上記水平片または縁取り片に棚板の下面または上面に喰い込んで棚板の抜け止めの作用をする木ネジを挿通するための孔を形成したことを特徴とするものである。
【０００６】
【発明の作用】
請求項１の発明では、水平片に棚板を下方から押し上げる調整ネジを螺合させる螺子孔を形成してあるので、この螺子孔に調整ネジを螺合させることによって棚板を下方から押し上げて棚板を水平状態に修正でき、請求項２、３、４の発明では、棚板が装置自体に固定され、抜け止めがなされる。
【０００７】
【発明の実施の形態】
本発明装置の実施の形態を実施例について具体的に説明する。
【０００８】
【実施例１】
図１は、壁面へ直接取り付けるタイプの本発明装置の斜視図、図２は、同装置を壁面に取り付けた状態の図１のＡ−Ａ線部分の縦断側面図、図３は、同装置を壁面に取り付けた状態の図１のＢ−Ｂ線部分の縦断側面図、図４は、棚板の傾きを修正する状態を表わす同縦断側面図である。
【０００９】
図において、１は、壁面Ｗに取り付けるための取付部２と、棚板Ｔを載置するための棚受部３とから成る本発明に係る棚受装置であって、取付部２の壁面Ｗに面接する垂直片２１には棚受部３の水平片３１と平行な縁取り片２２を形成して水平片３１と縁取り片２２との間で棚板Ｔの端部を挟持させるように構成されている。
【００１０】
上記棚受装置１において、上記棚受部３の水平片３１の一部を溝ａのある肉厚部としてこの部分に棚板Ｔを下方から押し上げる調整ネジ４を螺合させる螺子孔３ａと、棚板の下面に喰い込んで棚板Ｔの抜け止めの作用をする木ネジＭを挿通するための孔３ｂを形成している。
【００１１】
また、棚板の抜け止めの作用を補強する手段として、上記縁取り片２２と水平片３１の間の垂直片２１に棚板の側端部に喰い込む楔状の舌片２３を形成している。
【００１２】
図中、５は、水平片３１の下面を隠すための覆片で、調整ネジ４を螺合させる螺子孔３ａ、木ネジＭを挿通するための孔３ｂに相当する個所には孔を空けている。
【００１３】
次に、本発明装置の具体的用法を説明する。
【００１４】
先ず、予め棚受装置１の水平片３１に形成してある複数の螺子孔３ａに上方から上下端にドライバーの先端が嵌合する十字穴を設けた調整ネジ４を螺合させ、同ネジの頭部が溝ａ内に納まるようにしておき、この棚受装置１の取付部２の垂直片２１を、壁（または背板）Ｗの所定個所に面接させ、アンカーボルトで固定して取り付けた後、棚板Ｔを水平片３１と縁取り片２２との間に差し入れ、縁取り片２２と水平片３１の間の垂直片２１に形成された楔状の舌片２３に棚板Ｔの側端部が食い込むように叩き込んで、棚板Ｔの一応の取り付けがなされる。
【００１５】
而して、棚板Ｔの端部が差し入れられる水平片３１と縁取り片２２との隙間の間隔が棚板Ｔの厚みよりも僅かでも広いときには、棚板Ｔは前下りになって水平状態とならない場合があるので、その場合には、覆片４の孔からドライバーの先端を差し入れ、調整ネジ４を螺回して棚板Ｔを図３のように押し上げて棚板Ｔが水平状態となるように調整した後、孔３ｂに木ネジＭを差し入れ、ドライバーで螺回して棚板Ｔを固定するもので、図示はしないが、棚受部３の水平片３１ではなく、取付部２の縁取り片２２に棚板の上面に喰い込んで棚板の抜け止めの作用をする木ネジＭを挿通するための孔を形成しておいてもよいものである。
【００１６】
上記作業により棚板は水平に保たれると共に、抜け止めがなされて棚板の使用時における事故は皆無となるもので、安全で且つ体裁の良い棚受装置を提供することができるものである。
【００１７】
【実施例２】
図５は、壁に敷設されたレールを介して取り付けるタイプの本発明装置の斜視図、図６は、同装置を壁面に取り付けた状態の図５のＣ−Ｃ線部分の縦断側面図、図７は、同装置を壁面に取り付けた状態の図５のＤ−Ｄ線部分の縦断側面図、図８は、棚板の傾きを修正する状態を表わす同縦断側面図である。
【００１８】
この実施例２と実施例１の構成上の相違点は、棚受装置１の垂直片２１の上端に後述する壁に敷設されたレールに嵌合させる嵌合片２４を設け、垂直片２１の下端に壁面を傷つけないようにするパツキングを装着する溝２５を形成してあることと、抜け止め用の舌片を省略してあることだけで、その作用、効果は、実施例１の棚受装置１と全く同じである。
【００１９】
而して、実施例２の棚受装置に使用されるレールは、図６に示されるように壁ボードＷに取り付けられるもので、この壁ボードＷに取り付けられたレール本体Ｒの前方に開く溝から棚受装置１の嵌合片２４を回転させながら差し入れることによって係止溝Ｒ１に嵌合片２４の下端部２４ａを嵌合させ、且つ、上端部２４ｂを係合部Ｒ２に接合させることによって水平方向の抜け止めがなされるようになっているもので、装着時には僅かに回転させるだけで装着でき、且つ、取り外しも上に少し持ち上げるだけで簡単に行えるが、簡単に取り外せると危険であるので、縁取り片２２と係合部Ｒ２の間の隙間にパッキングｐを介在させ、棚受装置１の回転を阻止することによって棚板の使用時には取り外せないようにしてある。
【００２０】
【発明の効果】
以上述べた如く、本発明に係る棚受装置によれば、壁面に直接乃至は壁面に敷設されたレールに取り付けるための取付部と、棚板を載置するための棚受部とから成る棚受装置において、取付部の垂直片には棚受部の水平片と平行な縁取り片を形成して水平片と縁取り片との間で棚板の端部を挟持させるように構成すると共に、水平片には載置された棚板を下方から押し上げる調整ネジを螺合させる螺子孔を形成してあるので、調整ネジを操作するだけで簡単に棚板の傾きを修正して水平に保持することができ、また、水平片または縁取り片に木ネジを挿通できる孔を形成して木ネジによって棚板を装置本体に固定するようにしてあるので、物品を降ろすときに棚板が外れて脱落するようなことがないもので、安全で且つ体裁の良い棚受装置を提供することができるものである。
【図面の簡単な説明】
【図１】壁面へ直接取り付けるタイプの本発明装置の斜視図である。
【図２】同装置を壁面に取り付けた状態の図１のＡ−Ａ線部分の縦断側面図である。
【図３】同装置を壁面に取り付けた状態の図１のＢ−Ｂ線部分の縦断側面図である。
【図４】棚板の傾きを修正する状態を表わす同縦断側面図である。
【図５】壁に敷設されたレールを介して取り付けるタイプの本発明装置の斜視図である。
【図６】同装置を壁面に取り付けた状態の図５のＣ−Ｃ線部分の縦断側面図である。
【図７】同装置を壁面に取り付けた状態の図５のＤ−Ｄ線部分の縦断側面図である。
【図８】棚板の傾きを修正する状態を表わす同縦断側面図である。
【符号の説明】
１          棚受装置
２          取付部
３          棚受部
４          調整ネジ
【図１】
2005318903.tif 000003
【図２】
2005318903.tif 000004
【図３】
2005318903.tif 000005
【図４】
2005318903.tif 000006
【図５】
2005318903.tif 000007
【図６】
2005318903.tif 000008
【図７】
2005318903.tif 000009
【図８】
2005318903.tif 000010